(57)【要約】      （修正有）【課題】組立過程或いは使用時のケースの絶縁本体からの離脱を防止できる電気コネクタを提供する。【解決手段】この電気コネクタは絶縁本体１０、複数の導電端子２０及びケース３０を包含する。絶縁本体は基部と舌部を包含し、該基部の両側に収容溝１１１が設けられ、基部の両側表面に該収容溝と連通する開口１４が設けられ、開口の一辺に開口内に向けて突伸する延伸部１４１が設けられ、該延伸部に収容溝内に向けて突伸する定位部が設けられている。複数の導電端子は絶縁本体に固定される。ケースは絶縁本体を被覆し、該ケースは両側壁を有し、両側壁より後ろ向きに保持部３５が延伸され、保持部に弾性アーム３６が設けられ、二つの弾性アームが結合して滑り溝と係止溝３６２を構成する。該定位部は係止溝内に収容され、弾性アームは定位部両側に係止される。定位部が係止溝内に保持され、二つの弾性アームが定位部の両側に係止され、ケースがしっかりと絶縁本体に固定される。【選択図】図２
0003157679.tif 000002
【実用新案登録請求の範囲】
【請求項１】
電気コネクタにおいて、
絶縁本体であって、基部と舌部を包含し、該基部の両側にそれぞれ収容溝が開設され、該基部の両側表面に該基部の前表面に延伸されて該収容溝と連通する開口が設けられ、該開口の一側に該開口内に向けて突伸する延伸部が設けられ、該延伸部に該収容溝内に向けて突伸する定位部が設けられ、該基部と該舌部に複数の端子挿入溝が開設された、上記絶縁本体と、
該絶縁本体の該端子挿入溝に固定される複数の導電端子と、
ケースであって、該絶縁本体を被覆し、該ケースは両側壁を有し、両側壁より後ろ向きにそれぞれ保持部が延伸され、各該保持部の末端両側よりそれぞれ一側に向けて弾性アームが延伸され、二つの該弾性アームの包囲により滑り溝と該滑り溝に連通する係止溝が形成された、上記ケースと、
を包含し、該絶縁本体の該定位部は該係止溝内に滑入して収容され、該弾性アームは定位部両側に係止されることを特徴とする、電気コネクタ。
【請求項２】
請求項１記載の電気コネクタにおいて、該ケースは上壁、下壁、及び該上壁と該下壁とに連設された両側壁を包含し、該上壁の末端より一側に向けて折り曲げられ延伸された係合部が設けられ、該基部の上表面に係止部が凸設され、該係止部に該係合部が係合することを特徴とする、電気コネクタ。
【請求項３】
請求項１記載の電気コネクタにおいて、該弾性アームの該滑り溝と該係止溝との接続部分に仕切りブロックが凸設されたことを特徴とする、電気コネクタ。
【考案の詳細な説明】
【技術分野】
【０００１】
本考案は一種のコネクタに係り、特に一種の電気コネクタに関する。
【背景技術】
【０００２】
周知の電気コネクタは絶縁本体とケースを包含し、通常、ケースの両側に係止片が設けられて絶縁本体の一端に設置された係止溝との相互干渉により、ケースが絶縁本体に固定される。
【考案の概要】
【考案が解決しようとする課題】
【０００３】
しかし、組立或いは使用時に、ケースの係止片は不当な力を受けて折れ曲がり係止溝より離脱しやすく、それによりケースが絶縁本体を離脱して製品の使用に影響が出る。
本考案の主要な目的は上述の周知の技術の欠点に対して、ケースを強固に絶縁本体に固定できる電気コネクタを提供することにある。
【課題を解決するための手段】
【０００４】
上述の目的を実現するため、本考案の電気コネクタは絶縁本体、複数の導電端子及びケースを包含する。絶縁本体は基部と、該基部の一側より突伸する舌部を包含し、該基部の両側に収容溝が設けられ、該基部の両側表面に該収容溝と連通する開口が設けられ、該開口の一辺に該開口内に向けて突伸する延伸部が設けられ、該延伸部に該収容溝内に向けて突伸する定位部が設けられている。該基部と該舌部に複数の端子挿入溝が開設されている。該複数の導電端子は該絶縁本体の該端子挿入溝に固定される。該ケースは該絶縁本体を被覆し、該ケースは両側壁を有し、該両側壁より後ろ向きに保持部が延伸され、該保持部の末端両側よりそれぞれ一側に向けて弾性アームが延伸され、二つの該弾性アームが結合して滑り溝と該滑り溝に連通する係止溝を構成する。該ケースの両側の弾性アームは該基部の収容溝内に収容され、該定位部を該滑り溝に沿って該係止溝内に滑り込ませ、且つ弾性アームは定位部両側に挟持される。
【考案の効果】
【０００５】
本考案の電気コネクタは、定位部が係止溝内に保持され、二つの弾性アームが定位部の両側に係止され、ケースをしっかりと絶縁本体に固定できるので、組立過程或いは使用時のケースの絶縁本体からの離脱を防止できる。
【図面の簡単な説明】
【０００６】
【図１】本考案の電気コネクタの実施例の立体図である。
【図２】図１の電気コネクタの立体分解図である。
【図３】図１の電気コネクタの絶縁本体の立体図である。
【図４】図１の電気コネクタの組立時の表示図であり、そのうち絶縁本体は破断表示されている。
【考案を実施するための形態】
【０００７】
本考案の技術内容、構造特徴及びその達成する目的と効果は、以下に実施例と結びつけ及び図面を組み合わせて詳細に説明される。
【０００８】
図１を参照されたい。本考案の電気コネクタ１００は絶縁本体１０と複数の導電端子２０及びケース３０を包含する。
【０００９】
図２及び図３を参照されたい。上述の絶縁本体１０は基部１１と該基部１１の中部より前向きに突伸する舌部１２を包含する。該基部１１と該舌部１２には複数の端子挿入溝１３が開設され、該基部１１の両側にそれぞれ収容溝１１１が開設され、該基部１１の両側表面に、該基部１１の前表面へと延伸され且つ該収容溝１１１と連通する開口１４が蛍雪され、該開口１４の一側より該開口１４内に向けて突出する延伸部１４１が設けられ、該延伸部１４１より収容溝１１１内に向けて収容溝１１１の内側壁と連設された柱状の定位部１４２が延伸されている。基部１１の上表面中部に斧形の係止部１５が凸設されている。
【００１０】
図２を再び参照されたい。該複数の導電端子２０は型内一体成形の方式で絶縁本体１０内に固定される。これら導電端子２０はそれぞれ固定部２１、固定部２１の一端より前向きに傾斜するように延伸された接触部２２及び固定部２１の別端より後ろ向きに延伸されたソルダー部２３を包含する。これら接触部２２は絶縁本体１０の舌部１２の表面に嵌合され、これらソルダー部２３は絶縁本体１０の端子挿入溝１３内より伸出して回路板（図示せず）にソルダリングされる。
【００１１】
図２及び図４を参照されたい。ケース３０は上壁３１、下壁３２、及び該上壁３１と下壁３２とに連設された両側壁３３を具えている。該上壁３１、下壁３２及び両側壁３３の包囲により収容空間３４が形成されている。上壁３１の末端中部より上向き更に後ろ向きに係合部３１１が延伸され、該係合部３１１の中部に矩形の開孔３１２が開設されている。該ケース３０の両側壁３３より後ろ向きにそれぞれ保持部３５が延伸され、保持部３５の末端よりそれぞれ一側に向けて弾性アーム３６が形成され、二つの該弾性アーム３６により囲まれて長尺状の滑り溝３６１と滑り溝３６１に連通する円形の係止溝３６２が形成され、該弾性アーム３６の該滑り溝３６１と該係止溝３６２の接続部分に円弧形の仕切りブロック３６３が設けられて該滑り溝３６１と該係止溝３６２が仕切られている。
【００１２】
図２、図３及び図４を参照されたい。該ケース３０が絶縁本体１０に組み合わされる時、該絶縁本体１０の舌部１２はケース３０の収容空間３４内に収容され、ケース３０の二つの保持部３５はそれぞれ収容溝１１１の前端より絶縁本体１０の基部１１内に挿入され、定位部１４２が滑り溝３６１に沿って係止溝３６２内に滑り込み、弾性アーム３６が収容溝１１１内に収容され且つ定位部１４２両側に挟持され、係合部３１１の開孔３１２が基部１１上表面の係止部１５に係合され、ケース３０が絶縁本体１０に固定される。
【００１３】
該仕切りブロック３６３の円弧形設計により定位部１４２を係止溝３６２内に滑り込ませることができる。且つ係止溝３６２の設置により、ケース３０が絶縁本体１０に固定される。
【００１４】
総合すると、本考案の電気コネクタ１００は定位部１４２が係止溝３６２内に保持され、二つの弾性アーム３６がそれぞれ定位部１４２の一側に係止されることで、ケース３０が強固に絶縁本体１０に組み合わされ、組立過程中或いは使用時のケース３０の絶縁本体１０からの離脱を防止できる。
【符号の説明】
【００１５】
１００  電気コネクタ          １０  絶縁本体
１１  基部                    １１１  収容溝
１２  舌部                    １３  端子挿入溝
１４  開口                    １４１  延伸部
１４２  定位部                １５  係止部
２０  導電端子                ２１  固定部
２２  接触部                  ２３  ソルダー部
３０  ケース                  ３１  上壁
３１１  係合部                ３１２  開孔
３２  下壁                    ３３  側壁
３４  収容空間                ３５  保持部
３６  弾性アーム              ３６１  滑り溝
３６２  係止溝                ３６３  仕切りブロック
【図１】
0003157679.tif 000003
【図２】
0003157679.tif 000004
【図３】
0003157679.tif 000005
【図４】
0003157679.tif 000006